(57)【要約】【課題】各遊戯機での遊戯者の喫煙によるたばこ煙を速やかに吸着し、周囲への飛散を防止する。【解決手段】遊戯機用たばこ煙吸着装置（１）において、遊戯機（２）の前に荷電用電極（３、４）を配置し、遊戯機（２）の前面に吸着用電極板（５、６）を配置するとともに荷電用電極（３、４）および吸着用電極板（５、６）に電源ユニット（７）を接続し、荷電用電極（３、４）によりたばこ煙粒子を帯電させ、帯電状態のたばこ煙粒子を吸着用電極板（５、６）に付着させて、たばこ煙の周囲への飛散を防止する。【選択図】図１
2005176774.tif 000002
【特許請求の範囲】
【請求項１】
遊戯機（２）の前に荷電用電極（３、４）を配置するとともに、遊戯機（２）の前面に吸着用電極板（５、６）を配置し、さらに、荷電用電極（３、４）および吸着用電極板（５、６）に電源ユニット（７）を接続してなることを特徴とする遊戯機用たばこ煙吸着装置（１）。
【請求項２】
対向状態の遊戯機（２）の間に、天井（１０）から一対の荷電用電極（３、４）を吊り下げ、この一対の荷電用電極（３、４）を挟んで各遊戯機（２）の前面に吸着用電極板（５、６）をそれぞれ配置するとともに、一対の荷電用電極（３、４）および吸着用電極板（５、６）に電源ユニット（７）を接続してなることを特徴とする遊戯機用たばこ煙吸着装置（１）。
【請求項３】
荷電用電極（３、４）および吸着用電極板（５、６）の表面に光触媒層（１３）を形成してなることを特徴とする請求項１または請求項２記載の遊戯機用たばこ煙吸着装置（１）。
【請求項４】
遊戯機（２）の灰皿（８）内に放電電極（９）を、灰皿（８）の内面に吸着電極（１０）をそれぞれ絶縁状態として配置するとともに、放電電極（９）と吸着電極（１０）との間に電源ユニット（７）を接続してなることを特徴とする遊戯機用たばこ煙吸着装置（１）。
【請求項５】
遊戯機（２）の灰皿（８）内に放電電極（９）を、灰皿（８）の内面に吸着電極（１０）をそれぞれ絶縁状態として配置するとともに、放電電極（９）と吸着電極（１０）との間に電源ユニット（７）を接続し、さらに灰皿（８）内底部に開口（１１）を形成しておき、この開口（１１）をダクト（１２）に連結してなることを特徴とする遊戯機用たばこ煙吸着装置（１）。
【請求項６】
放電電極（９）および吸着電極（１０）の表面に光触媒層（１４）を形成してなることを特徴とする請求項４または請求項５記載の遊戯機用たばこ煙吸着装置（１）。
【発明の詳細な説明】
【技術分野】
【０００１】
本発明は、遊戯機、特にパチンコ機の周囲において、煙粒子の荷電現象を利用して、たばこ煙を吸着しかつ消臭する装置に関する。
【背景技術】
【０００２】
遊戯機、特にパチンコ機による遊戯中に、遊戯者の喫煙のため、遊戯場は、不衛生な状態となりやすい。この対策として、特許文献に見られるように、空気清浄機や排煙装置などが設置されるが、それでも個々の遊戯機の周辺では、たばこ煙が滞留しており、また、そのための匂いも環境を悪くしている。
【特許文献１】特開平６−２３１３３号公報
【特許文献２】特開平８−１３１６４１号公報
【特許文献３】特開平９−４７５６３号公報
【特許文献４】実用新案登録第３０８７７２８号公報
【発明の開示】
【発明が解決しようとする課題】
【０００３】
本発明の課題は、各遊戯機での遊戯者の喫煙によるたばこ煙を速やかに吸着し、周囲への飛散を防止することである。
【課題を解決するための手段】
【０００４】
上記課題のもとに、本発明は、遊戯機の前に荷電用電極を、遊戯機の前面に吸着用電極板をそれぞれ配置するとともに、荷電用電極および吸着用電極板に電源ユニットを接続して、遊戯機用たばこ煙吸着装置を構成している（請求項１）。また、本発明は、対向状態の遊戯機の間に、天井から一対の荷電用電極を吊り下げ、この一対の荷電用電極を挟んで各遊戯機の前面に吸着用電極板をそれぞれ配置するとともに、一対の荷電用電極および吸着用電極板に電源ユニットを接続して、遊戯機用たばこ煙吸着装置を構成している（請求項２）。荷電用電極および吸着用電極板の表面は、必要に応じて光触媒層としてある（請求項３）。
【０００５】
さらに、本発明は、遊戯機の灰皿内に放電電極を、灰皿の内面に吸着電極をそれぞれ絶縁状態として配置するとともに、放電電極と吸着電極との間に電源ユニットを接続して、遊戯機用たばこ煙吸着装置を構成する（請求項４）か、または遊戯機の灰皿内に放電電極を、灰皿の内面に吸着電極をそれぞれ絶縁状態として配置するとともに、放電電極と吸着電極との間に電源ユニットを接続し、さらに灰皿内底部に開口を形成しておき、この開口をダクトに連結して、遊戯機用たばこ煙吸着装置を構成している（請求項５）。荷電用電極および吸着用電極板の表面は、必要に応じて光触媒層としてある（請求項６）。
【発明の効果】
【０００６】
請求項１によると、遊戯機の前に荷電用電極および吸着用電極板を配置しているから、各遊戯機での遊戯者の喫煙によるたばこ煙が速やかに吸着され、周囲への飛散が防止できる。請求項２によると、天井から一対の荷電用電極を吊り下げ、この一対の荷電用電極を挟んで各遊戯機の前面に吸着用電極板をそれぞれ配置しているから、遊戯機の間の空間のたばこ煙が速やかに吸着され、周囲空間への拡散が防止できる。請求項３によると、荷電用電極および吸着用電極板の表面に光触媒層があるため、光触媒層で、消臭、防汚、抗菌機能が期待できる。
【０００７】
請求項４によると、遊戯機の灰皿に放電電極および吸着電極が配置されているから灰皿のたばこ煙が速やかに吸着され、周囲への飛散が防止できる。また、請求項５によると、灰皿内底部の開口がダクトに連通しているから、気流によるたばこ煙のダクトへの取り込みが可能となる。請求項６によると、荷電用電極および吸着用電極板の表面に、光触媒層があるため、その光触媒層により、消臭、防汚、抗菌機能が期待できる。
【発明を実施するための最良の形態】
【０００８】
図１および図２は、本発明に係る遊戯機用たばこ煙吸着装置１を遊戯機２の前面に組み込んだ例である。図１において、遊戯機用たばこ煙吸着装置１は、遊戯機２の前で、一対の荷電用電極３、４、吸着用電極板５、６および電源ユニット７を有している。なお、ここでの遊戯機２は、パチンコ機である。
【０００９】
一対の荷電用電極３、４のうち一方例えば荷電用電極３は針状で、他方の荷電用電極４は板状であり、これらの荷電用電極３、４は、空気中のたばこ煙粒子を帯電状態とするために、遊戯機２での遊戯者から発生するたばこ煙の流れに最も近い位置、例えは灰皿８の上方位置で前ガラス戸枠１４に放電可能な適当な距離のもとに絶縁状態として取付けられている。また吸着用電極板５、６は、帯電状態のたばこ煙粒子を吸着するために、遊戯機２の例えば前ガラス戸枠１４の左右の縦枠に対して対向絶縁状態で取付けられている。これらの荷電用電極３、４や吸着用電極板５、６は、いずれも遊戯者に触れないように、図示しないカバーなどにより覆われている。
【００１０】
図２において、荷電用電極３、４は、電源ユニット７の例えばＤＣ１０ｋＶの出力端子間に接続されており、また吸着用電極板５、６は、ＤＣ１０ｋＶの出力端子間に接続されている。なお、電源ユニット７の出力端子間電圧は、遊戯機用たばこ煙吸着装置１の設置環境に応じて調節できるようになっている。
【００１１】
遊戯機用たばこ煙吸着装置１の動作中に、荷電用電極３、４は、放電を維持し、電離域に入り込んだたばこ煙粒子を荷電状態とする。帯電状態のたばこ煙粒子は、流れの過程で吸着用電極板５、６に吸引され、その表面に付着する。これにより、たばこ煙の拡散が防止できる。一対の荷電用電極３、４や吸着用電極板５、６の表面に、たばこ煙粒子や微粒子が付着するため、荷電用電極３、４や吸着用電極板５、６は、取付け位置に対して取外し自在に取付けられるが、定期的に取外し、清掃される。
【００１２】
一対の荷電用電極３、４のうち１つの荷電用電極３と２つの吸着用電極板５、６のうち１つの吸着用電極板５とを接近させれば、他の荷電用電極４および吸着用電極板６を省略しても、荷電用電極３と吸着用電極板５との間で、たばこ煙粒子を荷電状態とし、帯電状態のたばこ煙粒子を吸着用電極板５の表面に吸着できる。この場合、対向状態の荷電用電極３および吸着用電極板５は、灰皿８の上方で前ガラス戸枠１４の一方の縦桟などに取付けられる。
【００１３】
なお、荷電用電極３、４や吸着用電極板５、６の表面に、二酸化チタンなどの光触媒層１３が形成されている。この光触媒層１３があると、その分解機能によって、荷電用電極３、４や吸着用電極板５、６の表面に付着したたばこ煙粒子や微粒子は消臭される。また光触媒層１３は、防汚、抗菌機能をもつのでセルフクリーニングの点でも有利である。
【００１４】
つぎに、図３は、本発明に係る遊戯機用たばこ煙吸着装置１を遊戯機２の列の間に組み込んだ例である。一対の荷電用電極３、４は、対向状態の遊戯機２の列の間で、天井１５から吊り下げられている。また、吸着用電極板５、６は、天井１５から吊り下げられ、荷電用電極３、４を挟んで各遊戯機２の前面に配置されている。これらの荷電用電極３、４および吸着用電極板５、６も、前記の図３と同様に電源ユニット７に接続され、たばこ煙粒子や微粒子を吸着する。荷電用電極３、４や吸着用電極板５、６の表面にも必要に応じて、二酸化チタンなどの光触媒層１３が形成される。
【００１５】
図４は、本発明に係る遊戯機用たばこ煙吸着装置１を遊戯機２の灰皿８に組み込んだ例である。遊戯機用たばこ煙吸着装置１は、灰皿８に組み込むための放電電極９と吸着電極１０とを有しており、放電電極９は、例えば針状であり、金属製または陶器製の灰皿８の内部に絶縁状態として配置されており、また、吸着電極１０は、例えば板状であり、灰皿８の内部で放電電極９と対向し、灰皿８と別体あるいは一体のものとして構成される。電源ユニット７は、放電電極９と吸着電極１０とに接続されており、それらの間で放電によって、たばこ煙粒子や微粒子を荷電させ、荷電状態のたばこ煙粒子などを主として吸着電極１０に付着させる。
【００１６】
なお、灰皿８の下にベルトコンベア式の吸殻回収装置１６が設けられているとき、灰皿８の内底部に、吸殻回収用の開口１１が形成されているが、その開口１１は、ベルトコンベア式の吸殻回収装置１６のベルト案内用のダクト１２に通じている。ダクト１２の内部に、ベルト１８の走行にともなって発生する気流、またはブロア１７による強制的に発生させる気流があれば、開口１１に吸引方向の流れが生じるため、荷電状態のたばこ煙粒子などは、電気的な吸引力だけでなく、気流によっても吸着電極１０に到達しやすくなる。また、吸殻回収装置１６のベルト１８が絶縁体製で静電気を帯びておれば、それにも荷電状態のたばこ煙粒子などが付着することになる。この例でも、放電電極９および吸着電極１０の表面に光触媒層１９を形成することもでき、前記と同様の作用効果が得られる。
【産業上の利用可能性】
【００１７】
本発明において、荷電用電極３、４や吸着用電極板５、６は、遊戯機２の一部を利用することにより構成することもできる。例えば、荷電用電極３、４は、遊戯機２の機番表示ランプに組み込むこともでき、また吸着用電極板５、６は、遊戯機２の本体あるいは機枠などを利用して構成することもできる。もちろん、遊戯機２は、パチンコ機に限らず、スロットマシンなどであってもよい。
【図面の簡単な説明】
【００１８】
【図１】本発明の遊戯機用たばこ煙吸着装置１を遊戯機２に組み込んだ状態の正面図である。
【図２】荷電用電極３、４および吸着用電極板５、６と電源ユニット７との接続回路図である。
【図３】本発明に係る遊戯機用たばこ煙吸着装置１を遊戯機２の上方の天井１５に組み込んだ状態の側面図である。
【図４】本発明に係る遊戯機用たばこ煙吸着装置１を遊戯機２の灰皿８にに組み込んだ状態の側面図である。
【符号の説明】
【００１９】
１  遊戯機用たばこ煙吸着装置１
２  遊戯機
３  荷電用電極
４  荷電用電極
５  吸着用電極板
６  吸着用電極板
７  電源ユニット
８  灰皿
９  放電電極
１０  吸着電極
１１  開口
１２  ダクト
１３  光触媒層
１４  前ガラス
１５  天井
１６  吸殻回収装置
１７  ブロア
１８  ベルト
１９  光触媒層
【図１】
2005176774.tif 000003
【図２】
2005176774.tif 000004
【図３】
2005176774.tif 000005
【図４】
2005176774.tif 000006